(57)【要約】      （修正有）【課題】一般家庭等においても手軽に砂栽培を行えるメッシュシートを提供する。【解決手段】プランター、植木鉢、その他実質的にこれらと同様の機能を果たし得る受け枠を用意する。この受け枠に、砂栽培用メッシュシートを組み合わせて使用する。受け枠３は金属製であり、上縁と、物品全体を支える複数本の脚と、上縁と脚の間に上縁と略平行に設けられる格子状のテーブルとから構成されている。該テーブルによってメッシュシート１が支えられ、上縁にて形状保持されることにより、メッシュシート１は美しい外観を保持することが出来る。例えばホテルのロビー等に置いても、来客の観賞に堪え得る程の外観を呈することが可能である。また、外観だけでなく、通気性に優れることも明らかである。【選択図】図６
0003161565.tif 000002
【実用新案登録請求の範囲】
【請求項１】
プランター、植木鉢、その他実質的にこれらと同様の機能を果たし得る受け枠と、
前記受け枠に組み合わせて使用される砂栽培用メッシュシート。
【請求項２】
可撓性及び一定の強度を有し、少なくとも２００ｇ以上の砂を定形的に包み込めるだけの面積を有する、砂栽培用メッシュシート。
【考案の詳細な説明】
【技術分野】
【０００１】
本考案は、家庭用ないし業務用のプランター、植木鉢等と組み合わせて使用される砂栽培用のメッシュシートに関する。
【背景技術】
【０００２】
野菜栽培に適した壌土と比較して、砂という特殊土壌は、灌漑後の透水性が高いことから、保水性や保肥力に乏しく、栽培に多くの水や肥料が必要とされてきた。この点、点滴灌漑による水管理や施肥管理を適切に行うことによって、逆に砂の排水性が高いという特徴を生かすことができる、すなわち余分な肥料や水分の滞留を防止できるので病気蔓延の危険が少なく、良好な根圏環境が得られる、砂を培地としているので連作栽培が可能であり経済的である、等として、近年では砂栽培が活発に行われている。
例えば、栽培容器と、栽培容器内の第１領域に収納された砂土または砂状の人工培土と、栽培容器内の第１領域に隣接して設けられた第２領域に収納され、砂土または砂状の人工培土よりも仮比重が小さい繊維状または発泡状の人工培土と、栽培容器に液体肥料を供給する灌水装置とを備えた業務用の大規模砂栽培プラントが特許文献１に公知である。
【先行技術文献】
【特許文献】
【０００３】
【特許文献１】特開平８−３７９６６号公報
【考案の概要】
【考案が解決しようとする課題】
【０００４】
しかしながら、上記のような大規模栽培プラントは非常に大がかりで場所をとるうえ、コストも嵩む。一方、例えばポリエステル１００％で部分縫製されたメッシュ生地自体は広く公知であっても、これをそのまま砂栽培に転用した事例は皆無である。
本考案者は、ある程度の知識と経験さえ有する者であれば、必要最小限の部品点数でも非常に簡便に砂栽培を実行できることを見出した。
【０００５】
本考案の目的は、一般家庭等においても手軽に砂栽培を行える機会を提供することにある。
【課題を解決するための手段】
【０００６】
上記の目的を達成するために、本考案の第１の側面は、プランター、植木鉢、その他実質的にこれらと同様の機能を果たし得る受け枠と、前記受け枠に組み合わせて使用される砂栽培用メッシュシートを提供する。
【０００７】
ここで、「実質的にこれらと同様の機能を果たし得る」とは、一定量の砂を包み込んだ状態のメッシュシートを想定した場合に、これを一定の形状に保ち得ることをいう。水分や肥料等の投入のため、少なくとも上面が開口可能である必要はあるが、有底である必要はなく、水抜き用の孔が設けられている必要もない。側壁も必須ではない。
【０００８】
又、本考案の第２の側面は、可撓性及び一定の強度を有し、少なくとも２００ｇ以上の砂を定形的に包み込めるだけの面積を有する、砂栽培用メッシュシートであることを特徴とする。
【０００９】
可撓性を有することで、簡単に折り畳む事が出来るので、運搬等が容易であり、一定の強度を備えることで、形状保持が容易になって砂を投入し易くなり、また多量の砂を投入しても破損等の心配がない。
【考案の効果】
【００１０】
以上のような本考案によれば、一般家庭においても簡単に砂栽培を行うことが可能となる。
【図面の簡単な説明】
【００１１】
【図１】本考案の一実施形態にかかる砂栽培用メッシュシートの模式的展開図である。
【図２】図１にかかる砂栽培用メッシュシートの使用例を示す図である。
【図３】本考案の一実施形態にかかる砂栽培用メッシュシートの模式的展開図である。
【図４】図３にかかる砂栽培用メッシュシートの使用例を示す図である。
【図５】本考案の一実施形態にかかる砂栽培用メッシュシートの模式的展開図である。
【図６】図５にかかる砂栽培用メッシュシートの使用例を示す図である。
【考案を実施するための形態】
【００１２】
以下、本考案の実施の形態を、図面を参照して説明する。
図１は、本考案の一実施形態にかかる砂栽培用メッシュシートの模式的展開図であり、図２はその使用例を示す外観説明図である。
図１に示すように、本実施の形態に係るメッシュシート１は、円形状に形成することができる。この場合、受け枠３としては図２に示すような円筒状の植木鉢が用いて好適である。
なお、図１の周囲に示す点線は、メッシュシート１が袋状に縫製されたものであることを示している。
【００１３】
図１に示すように、メッシュシート１はその名の示す通り微細なメッシュ生地で形成されている。清浄な砂を受け止めつつ、余分な水分や肥料を排水させるために、メッシュシート１の各々の目の孔径は、０．８ｍｍ〜１．２ｍｍの範囲内であることが望ましい。
ここでは、ポリエステル１００％の生地にて部分縫製をしているが、一定の可撓性及び強度を有しつつ、通水性さえ確保されておれば、特に素材、縫製、織り方、編み方、その固定方法その他の具体的な構成によって限定されるものではない。なお、ここでは袋状に縫製した構成を例示しているが、一枚の布状に縫製したものであっても構わない。
【００１４】
図２において、符号１はメッシュシート１の可視部分、すなわち砂５が投入された後、受け枠３からはみ出した余剰部分のみを表示している。余剰部分があまりに過大になる場合には、メッシュシート１が植物７側に捲れ上がる等の弊害が生じるので、別途クリップを用いて受け枠３の上縁で留めるか、あるいは受け枠３の側壁に貼着等することで対処可能である。
ここでは１枚のシートで構成しているが、砂５の投入量に合わせた強度保持や、対象植物７の根圏環境を考慮して排水量を調節するため、２重３重に敷いても構わない。
【００１５】
符号５は投入された砂の可視部分のみを示している。投入する砂５の量は、育てたい植物７の種類及び数、受け枠３の形・大きさとこれに見合うメッシュシート１の形・大きさに応じて適宜決定される。符号７は実が成った状態の植物であり、ここでは花を一例として挙げているが、果実等であっても構わないことは当然である。
符号９はメッシュシート１を透過した水分を排水するための水抜き孔である。ここでは丸型に形成しているが、形や大きさ等について特に限定はなく、数も複数個あっても構わない。
【００１６】
ここで、図２の状態に至るまでの手順を簡潔に説明する。まず日当たり及び風通しの適当な場所に受け枠３を用意した後、その底部及び側壁を這わせるようにしてメッシュシート１を敷く。その後、砂５を必要量だけ投入して、育てたい植物７の種を蒔く。後は肥料及び水分を適当な時に必要な分だけ与えて、植物７の完成を待つのみである。
【００１７】
図３は、本考案の別の実施形態にかかる砂栽培用メッシュシートの模式的展開図であり、図４はその使用例を示す外観説明図である。
図３に示す通り、ここでのメッシュシート１は矩形状に形成されており、この場合受け枠３としては、図４に示すような直方体形状のプランター等が用いて好適である。
なお、図３の周囲に示す点線は図１の場合同様、袋状に縫製したメッシュシート１の縫製の痕であり、それ以上の格別の技術的意味はない。
【００１８】
図４において、符号１はメッシュシート１の可視部分を、符号５は投入された砂の可視部分を、符号７は実が成った状態の植物を、符号９は水抜き孔を示すが、具体的な形状や水抜き孔９の数等以外は図２と概ね同じである。
【００１９】
図５は、本考案のさらに別の実施形態にかかる砂栽培用メッシュシートの模式的展開図であり、図６はその使用例を示す外観説明図である。
図５に示す通り、ここでのメッシュシート１は周囲を波型にして装飾的に形成している。
図６に示すように、ここでの受け枠３は金属製であり、上縁と、物品全体を支える複数本の脚と、上縁と脚の間に上縁と略平行に設けられる格子状のテーブルとから構成されている。該テーブルによってメッシュシート１が支えられ、上縁にて形状保持されることにより、メッシュシート１は美しい外観を保持することが出来る。例えばホテルのロビー等に置いても、来客の観賞に堪え得る程の外観を呈することが可能である。
また、外観だけでなく、通気性に優れることも一見して明らかである。
【００２０】
符号５及び符号７は、それまでの実施例の場合と同様であるので、詳細な説明は省略する。なお、前記したテーブルは既に格子状に形成されているので、水抜き孔９を別途設けるには及ばない。
【００２１】
なお、前述のテーブルを省略したうえで、受け枠３の上縁にメッシュシート１を巻きつける、あるいは巻きつけたうえでこれを図外クリップ又は紐等で留めるという風にしてもよい。
【００２２】
以上の実施例はあくまで例示であり、本考案は、その要旨を逸脱しない範囲内であれば、上記実施の形態に種々の変更を加えてもよく、その形状、大きさ等によって限定されるものでないことは言うまでもない。
例えばメッシュシート１を極薄に形成したうえで、これを複数枚互い違いに配置した場合には、それ自体でバラの花びらのような美しい外観を創出することが出来る。
また、紐、クリップ又はこれらに類する留め部材を併用するのであれば、受け枠３は一定数の脚さえ有すれば足りるものと言える。この場合にも本考案にいう受け枠足り得、更なる部品点数の節約及びコストの削減が図られる。
【産業上の利用可能性】
【００２３】
以上のような本考案によれば、部品点数を大幅に削減し、ひいては砂栽培の実行を容易にするという顕著な効果を有し、一例としては、屋外又は屋内における業務用又は家庭用菜園に好適である。
【符号の説明】
【００２４】
１              メッシュシート
３              受け枠
５              砂
７              植物
９              水抜き孔
【図１】
0003161565.tif 000003
【図２】
0003161565.tif 000004
【図３】
0003161565.tif 000005
【図４】
0003161565.tif 000006
【図５】
0003161565.tif 000007
【図６】
0003161565.tif 000008
【手続補正書】
【提出日】平成22年5月28日(2010.5.28)
【手続補正１】
【補正対象書類名】実用新案登録請求の範囲
【補正対象項目名】請求項２
【補正方法】変更
【補正の内容】
【請求項２】
可撓性及び一定の強度を有し、少なくとも２００ｇ以上の砂を定形的に包み込めるだけの面積を有する、請求項１記載の砂栽培用メッシュシート。
【手続補正２】
【補正対象書類名】明細書
【補正対象項目名】０００８
【補正方法】変更
【補正の内容】
【０００８】
又、本考案の第２の側面は、可撓性及び一定の強度を有し、少なくとも２００ｇ以上の砂を定形的に包み込めるだけの面積を有する、請求項１記載の砂栽培用メッシュシートであることを特徴とする。